(57)【特許請求の範囲】
【請求項１】
プリンタなどの印字装置にて送り出し方向に複数の伝票ずつセット状に印字されて送り出されてくる連続した用紙の各セットごとの１番目の伝票部分をスキップして他の伝票部分の表面に糊を塗布し、ついで切断装置にて各伝票部分ごとに切断して枚葉状の伝票とし、この枚葉状の伝票を順次相互に表側と裏側が対向するようにして重ね合わせて上記糊が塗布された伝票を他の伝票に接着させ、糊を塗布してない枚葉状の伝票を１番目とする各セット伝票を順次作成するようにした糊付け製本装置において、
切断装置の下流側に、この切断装置にて切断された伝票を所定の枚数ごとに切換え作動する搬送方向切換え装置を設けると共に、この各搬送方向切換え装置の下流側に分岐搬送装置を設け、
この各分岐搬送装置の下流側に、各分岐搬送装置にて搬送されてくる伝票を集積して、順次相互に表側と裏側が対向するようにして重ね合わせて、上記糊が塗布された伝票を他の伝票に接着させるように集積する伝票集積装置を設けると共に、この各伝票集積装置にて集積された冊子を排出する集積冊子排出装置を設けた
ことを特徴とする糊付け製本装置。
【請求項２】
集積冊子排出装置を、各伝票集積装置の排出部に対して、この排出部から交互に排出される集積冊子を排出するようにして１つ設けたことを特徴とする請求項１記載の糊付け製本装置。
【請求項３】
集積冊子排出装置を、各伝票集積装置の排出部に設けたことを特徴とする請求項１記載の糊付け製本装置。
【発明の詳細な説明】
【０００１】
【発明の属する技術分野】
本発明は、複数の枚葉状を連続的に糊付け製本して所定セットずつ集積して排出処理する糊付け製本装置に関するものである。
【０００２】
【従来の技術及び発明が解決しようとする課題】
この種の糊付け製本装置の従来の技術として、特開平１０−６６６６号公報に、ランダム枚数の枚葉状を糊付けし、１組の羽根車で集積し、集積位置で押圧されて冊子になって排出する構成が示されている。この構成では、水平方向に集積される冊子の冊数を、決められた冊数で区分けすることができず、そのためには、目視で冊数をカウントし、手で区分けるしかなく、非効率的であった。
【０００３】
本発明上記のこと鑑みなされたもので、複数枚ずつの枚葉状の伝票を糊付けして製本される冊子を所定の冊数毎に区分けして排出できるようにした糊付け製本装置を提供することを目的とするものである。
【０００４】
【課題を解決するための手段】
上記目的を達成するために、本発明に係る糊付け製本装置は、プリンタなどの印字装置にて送り出し方向に複数の伝票ずつセット状に印字されて送り出されてくる連続した用紙の各セットごとの１番目の伝票部分をスキップして他の伝票部分の表面に糊を塗布し、ついで切断装置にて各伝票部分ごとに切断して枚葉状の伝票とし、この枚葉状の伝票を順次相互に表側と裏側が対向するようにして重ね合わせて上記糊が塗布された伝票を他の伝票に接着させ、糊を塗布してない枚葉状の伝票を１番目とする各セット伝票を順次作成するようにした糊付け製本装置において、切断装置の下流側に、この切断装置にて切断された伝票を所定の枚数ごとに切換え作動する搬送方向切換え装置を設けると共に、この各搬送方向切換え装置の下流側に分岐搬送装置を設け、この各分岐搬送装置の下流側に、各分岐搬送装置にて搬送されてくる伝票を集積して、順次相互に表側と裏側が対向するようにして重ね合わせて、上記糊が塗布された伝票を他の伝票に接着させるように集積する伝票集積装置を設けると共に、この各伝票集積装置にて集積された冊子を排出する集積冊子排出装置を設けた構成になっている。
そして上記糊付け製本装置の集積冊子排出装置を、各伝票集積装置の排出部に対して、この排出部から交互に排出される集積冊子を排出するようにして１つ設けた構成に、また集積冊子排出装置を、各伝票集積装置の排出部に設けた構成になっている。
【０００５】
【作  用】
スキップ糊付けされ、ついて枚葉状に切断された伝票は、所定の冊子数分の枚数毎に、搬送方向切換え装置にて切換えられて第１・第２の分岐搬送装置へ分岐搬送され、それぞれの分岐された冊子分の伝票は伝票集積装置に集積され、ここで糊付けされて冊子となって集積冊子排出装置より区分けされた冊子数となって排出される。
【０００６】
【発明の実施の形態】
本発明の実施の形態を図面に基づいて説明する。図中１において、１はパソコン等に接続され、客先宛別の情報及び糊付けマークを印字するプリンタであり、このプリンタ１の用紙出口より用紙走行方向下流側に各所定の枚数毎の冊子を糊付け製本する糊付け製本装置２が配置されている。
【０００７】
この糊付け製本装置２は、用紙３の走行方向上流側から順に、糊付けマーク検出用のマークセンサ４と、このマークセンサ４により検出された信号に基づいて所定の伝票となる部分に枚葉毎に選択的に糊を塗布する糊塗布装置５と、用紙３を各伝票部毎に切断する切断装置６と、この切断装置６に切断されて枚葉状になった伝票を搬送する搬送装置７と、この搬送装置７の下流端に、搬送方向切換え装置８を介して連設された第１・第２の分岐装置９ａ，９ｂと、第１・第２の各分岐搬送装置９ａ，９ｂのそれぞれの下流端に設けられた第１・第２の伝票集積装置１０ａ，１０ｂと、この第１・第２の伝票集積装置１０ａ，１０ｂから交互に排出される集積冊子を外部へ排出する排出コンベヤ１１とからなっている。
【０００８】
上記両伝票集積装置１０ａ，１０ｂは各分岐搬送装置９ａ，９ｂから搬送されてくる伝票を１枚ずつ受ける羽根車１２ａ，１２ｂと、この羽根車１２ａ，１２ｂにて受けられた各伝票を順次集積していく枠１３ａ，１３ｂと、この枠１３ａ，１３ｂの底板を構成するベルトコンベヤ１４ａ，１４ｂとからなっている。このベルトコンベヤ１４ａ，１４ｂは、各枠１３ａ，１３ｂ内に集積された冊数を図示しない冊数検出器の検知信号を受けて間欠的に作動するようになっている。
【０００９】
各伝票集積装置１０ａ，１０ｂのベルトコンベヤ１４ａ，１４ｂのそれぞれの走行下流側が上記排出コンベヤ１１に対向されている。この排出コンベヤ１１はベルトコンベヤ１４ａ，１４ｂの走行方向と直角方向に走行するようになっている。また各枠１３ａ，１３ｂの上記ベルトコンベヤ１４ａ，１４ｂによる送り方向下流側の側壁はゲートとなっていて、ベルトコンベヤ１４ａ，１４ｂの作動時にこれが開いて、ベルトコンベヤ１４ａ，１４ｂにて搬送されるベルトコンベヤ１４ａ，１４ｂ上の冊子を通すようになっている。
【００１０】
また上記搬送方向切換え装置８は、切換板８ａが上下方向に回動することにより枚葉紙の搬送方向が切換えるようになっていて、これが任意に設定された枚数の通過毎に切換えられるようになっている。
【００１１】
上記構成において、図２に示したように、客先Ａに対する伝票がＡ１，Ａ２，Ａ３，Ａ４の４枚、引き続いて客先Ｂに対する伝票が６枚のセット伝票を作る場合について説明する。
【００１２】
プリンタ１による糊付けマークの印字は、各客先Ａ，Ｂ，（Ｃ）のそれぞれの第１番目の伝票Ａ１，Ｂ１，（Ｃ１）の部分を除いた他の伝票部分に糊付けマークＭが印字され、マークセンサ４ではこの糊塗布マークＭが検出される。糊塗布装置５では、上記マークセンサ４による検出信号に応じてノズル５ａから用紙３上に糊１５を、用紙３の走行に従って線状に塗布する。このとき、客先Ａ，Ｂの各第１番目の伝票Ａ１，Ｂ１の部分には糊が塗布されず、糊塗布装置５は各客先別においてスキップ糊塗布作用を行う。このときの糊の塗布は連続した線状以外に、点線状、スポット状等のいずれの形態でもよい。
【００１３】
切断装置６では、上記のようにして糊が塗布された用紙３を各伝票１６となるように枚葉状に切断する。上記線状の糊１５は切断装置６のカッタ胴に接触されることなく用紙と共に切断される。切断された伝票Ａ１〜Ａ４、Ｂ１〜Ｂ６は枚葉状になって搬送装置７にて搬送方向切換え装置８へ搬送される。
【００１４】
搬送方向切換え装置８は所定された冊子数分の枚数毎に切換え作動し、第１・第２の分岐搬送装置９ａ，９ｂの双方へ交互に上記搬送装置からの伝票を送り込む。
【００１５】
そして第１の分岐搬送装置９ａへ送り込まれた伝票１６は第１の伝票集積装置１０ａにて、これの枠１３ａに集積され、また、第２の分岐搬送装置９ｂへ送り込まれた伝票は第２の伝票集積装置１０ｂにて、これの枠１３ｂに集積されていく。そして各伝票１６はこの各枠１３ａ，１３ｂに集積して積み重ねられ、このときの押圧力により、糊により付着して各枚数の冊子になる。なお、上記搬送装置８から各伝票集積装置１０ａ，１０ｂの枠１３ａ，１３ｂに至る間においても、用紙３（伝票１６）に塗布した糊が他の部材に接触しないようにしておく。
【００１６】
このときの各冊子は、各客先別の１枚目には糊付けされていないので、客先Ａのセット伝票の１枚目の表面は他の伝票とは接着せず、また客先Ｂのセット伝票の１枚目の客先Ａの４枚目の伝票とは接着せず、各客先別のセット伝票はセット別に作成される。
【００１７】
上記作用において、両伝票集積装置１０ａ，１０ｂの枠１３ａ，１３ｂへは所定の冊子数ずつ交互に集積される。そして、その都度枠１３ａ，１３ｂのゲートが開くと共にベルトコンベヤ１４ａ，１４ｂが交互に作動し、所定の冊子数に集積された冊子が順次排出コンベヤ１１へ搬送され、順次交互に排出されていく。
【００１８】
上記実施の形態では、第１・第２の伝票集積装置１０ａ，１０ｂに対して１つの排出コンベヤ１１を用い、これに両伝票集積装置１０ａ，１０ｂから交互に冊子を搬送する例を示したが、この排出コンベヤ１１は、各伝票集積装置１０ａ，１０ｂ毎に並設してもよい。
【００１９】
【発明の効果】
本発明によれば、複数枚ずつの枚葉状の伝票を糊付けして製本される冊子を所定の冊数毎に区分けして排出でき、この所定の冊数毎の区分けを能率よく行うことができる。
【図面の簡単な説明】
【図１】本発明の実施の形態の一例を概略的に示す構成説明図である。
【図２】所定の枚数の伝票冊子の作成方法を示す説明図である。
【符号の説明】
１…プリンタ、２…糊付け製本装置、３…用紙、４…マークセンサ、５…糊塗布装置、６…切断装置、７…搬送装置、８…搬送方向切換え装置、９ａ，９ｂ…分岐搬送装置、１０ａ，１０ｂ…伝票集積装置、１１…排出コンベヤ、１２ａ，１２ｂ…羽根車、１３ａ，１３ｂ…枠、１４ａ，１４ｂ…ベルトコンベヤ、１５…糊、１６…伝票。
【図１】
0004503800.tif 000002
【図２】
0004503800.tif 000003